(57)【要約】  本発明の管状ねじ接続部（１０）は、外側雌ねじ（２６）、内側雌ねじ（２９）および外側雌ねじと内側雌ねじとの間の中間雌シール面（２７）を含むボックス部材（２０）と、対応する外側雄ねじ（３６）、内側雄ねじ（３９）および中間雄シール面（３７）を含むピン部材（３０）と、備え、雄ねじは、ねじ係合によって雌ねじと噛み合い、中間シール面（２７，３７）は、管状ねじ接続部がねじ込まれたときに、中間金属間シールを形成し、ボックス部材（２０）は、中間金属間シールの位置において最小外径（ＪＯＢｍｉｎ）を有し、最小外径（ＪＯＢｍｉｎ）は、外側雌ねじおよび内側雌ねじの上方にそれぞれ位置する外側外径（ＪＯＢｅ）および内側外径（ＪＯＢｉ）よりも小さい。【選択図】図１
2021525342.tif 000002
【特許請求の範囲】
【請求項１】
管状ねじ接続部（１０）であって、
第１の管状部材（２２）の本体（２１）から延在する管状雌端部（２０）であって、雌自由端部（２５）に近い外側雌ねじ（２６）、前記第１の管状部材の本体に近い内側雌ねじ（２８）、および前記外側雌ねじと前記内側雌ねじとの間の中間雌シール面（２７）、を含む管状雌端部（２０）と、
第２の管状部材（３２）の本体（３１）から延在する管状雄端部（３０）であって、前記第２の管状部材（３２）の本体に近い外側雄ねじ（３６）、雄自由端部（３５）に近い内側雄ねじ（３８）、および前記外側雄ねじと前記内側雄ねじとの間の中間雄シール面（３７）、を含む管状雄端部（３０）と、
を備え、
前記外側雄ねじ（３６）および前記内側雄ねじは、ねじ係合によって前記外側雌ねじ（２６）および前記内側雌ねじとそれぞれ噛み合うように構成され、前記雄シール面（３７）および前記雌シール面（２７）は、前記管状ねじ接続部がねじ込まれたときに、中間金属間シールを形成し、
前記管状雌端部（２０）は、前記中間金属間シールの位置において最小外径（ＪＯＢｍｉｎ）を有し、前記最小外径（ＪＯＢｍｉｎ）は、外側外径（ＪＯＢｅ）および内側外径（ＪＯＢｉ）よりも小さく、前記外側外径（ＪＯＢｅ）は、前記外側雌ねじの少なくとも１つのねじ谷の上方に位置し、前記内側外径（ＪＯＢｉ）は、前記内側雌ねじの少なくとも１つのねじ谷の上方に位置する、
管状ねじ接続部。
【請求項２】
前記最小外径（ＪＯＢｍｉｎ）と前記外側外径（ＪＯＢｅ）および前記内側外径（ＪＯＢｉ）との間のデルタ（ＪＯＢｅ−ＪＯＢｍｉｎ）または（ＪＯＢｉ−ＪＯＢｍｉｎ）のうちの少なくとも一方は、前記中間金属間シールの直径方向の最大干渉値を下回り、例えば、前記デルタと前記直径方向の干渉との比率は、３０％〜８０％であり、好ましくは４０％〜７０％である、
請求項１に記載の管状ねじ接続部。
【請求項３】
前記最小外径（ＪＯＢｍｉｎ）は、円筒面（６０）上で一定である、
請求項１または２に記載の管状ねじ接続部。
【請求項４】
前記管状雌端部は、前記最小外径（ＪＯＢｍｉｎ）を有する円筒面（６０）の少なくとも一方の端部を接続する丸み部（６１；６２）を備え、例えば、前記丸み部は、前記円筒面の両方の端部を接続し、１００ｍｍ以上の曲率半径に沿った凹状曲面である、
請求項１〜３のいずれか１項に記載の管状ねじ接続部。
【請求項５】
前記管状雌端部は、前記最小外径（ＪＯＢｍｉｎ）を有する前記円筒面（６０）の少なくとも一方の端部、好ましくは両方の端部を接続するテーパ状の円錐台形部（６１；６２）を備える、
請求項１〜４のいずれか１項に記載の管状ねじ接続部。
【請求項６】
前記管状雌端部は、前記外側外径（ＪＯＢｅ）または前記内側外径（ＪＯＢｉ）に等しい一定の直径を有する少なくとも１つの追加の円筒形部分（５８；７８）を備える、
請求項１〜５のいずれか１項に記載の管状ねじ接続部。
【請求項７】
前記外側外径（ＪＯＢｅ）に等しい一定の直径を有する前記円筒外面（５８）は、前記雌自由端部と、前記最小外径（ＪＯＢｍｉｎ）を有する前記管状雌端部（２０）の位置との間に位置する、
請求項６に記載の管状ねじ接続部。
【請求項８】
前記内側外径（ＪＯＢｉ）に等しい一定の直径を有する前記円筒外面（７８）は、例えば３°に等しい１°〜５°の拡大角度（α１）を形成するテーパ面（８０）を含む公称外径（ＯＤ）を有する前記第１の管状部材の本体に接続される、
請求項６または７に記載の管状ねじ接続部。
【請求項９】
前記内側外径（ＪＯＢｉ）と前記第１の管状部材の本体の公称外径との比率（ＪＯＢｉ／ＯＤ）は、１００．７％〜１０５％であり、好ましくは１０１％〜１０３％である、
請求項１〜８のいずれか１項に記載の管状ねじ接続部。
【請求項１０】
前記管状雌端部と前記管状雄端部とのねじ係合の後、且つ前記管状ねじ接続部のねじ込み終了時に、前記中間金属間シールの位置および前記外側雌ねじのねじ谷または前記内側雌ねじのねじ谷の少なくとも一方の上方の位置における外径は、前記公称外径の１０５％の閾値を下回り、好ましくは１０４％の閾値を下回り、さらに好ましくは１０２．５％の閾値を下回る、
請求項１〜９のいずれか１項に記載の管状ねじ接続部。
【請求項１１】
前記外側外径（ＪＯＢｅ）および前記内側外径（ＪＯＢｉ）は、互いに等しい、
請求項１〜１０のいずれか１項に記載の管状ねじ接続部。
【請求項１２】
前記管状雌端部（２０）は、前記内側雌ねじの第１の係合ねじ谷においてボックス臨界断面（ＢＣＣＳ２）を備え、前記ボックス臨界断面は、前記内側外径（ＪＯＢｉ）に等しい一定の直径を有する前記円筒外面（７８）の下方、または拡大角度（α１）を形成する前記テーパ面（８０）の下方に設けられる、
請求項８に記載の管状ねじ接続部。
【請求項１３】
前記管状雌端部（２０）は、内側雌シール面（２９）を有し、前記管状雄端部（３０）は、内側雄シール面（３９）を有し、前記内側雄シール面（３９）は、前記内側雄ねじ（３８）と雄自由端部（３５）との間に位置し、前記内側雄シール面（３９）および前記内側雌シール面（２９）は、前記管状ねじ接続部がねじ込まれたときに、内側金属間シールを形成する、
請求項１〜１２のいずれか１項に記載の管状ねじ接続部。
【請求項１４】
前記雄自由端部（３５）は、前記接続部がねじ込まれたときに、前記管状雌端部の内側ショルダ（１８）から長手方向に離れている、
請求項１〜１３のいずれか１項に記載の管状ねじ接続部。
【請求項１５】
前記雄自由端部（３５）は、前記接続部がねじ込まれたときに、前記管状雌端部の内側ショルダ（１８）に当接する、
請求項１〜１３のいずれか１項に記載の管状ねじ接続部。
【請求項１６】
前記管状雌端部は、前記外側雌ねじ（２６）と前記内側雌ねじ（２８）との間に位置する雌ショルダ（２４）をさらに備え、前記管状雄端部は、前記外側雄ねじ（３６）と前記内側雄ねじ（３８）との間に位置する雄ショルダ（３４）をさらに備え、前記雄ショルダは、前記接続部がねじ込まれたときに、前記雌ショルダに当接するように構成される、
請求項１〜１５のいずれか１項に記載の管状ねじ接続部。
【発明の詳細な説明】
【技術分野】
【０００１】
本発明は、管状ねじ接続部の分野に関し、ねじによって接続される管の接合部または組立体に関する。
【０００２】
より詳細には、本発明は、工業用に使用される管に関し、特に管用のストリングラインや管生産用付属品のためのライン、または油井やガス井の操業、試掘または開発のためのケーシング、ライナーまたはライザーに使用される組立体やねじ接合体に関する。
【背景技術】
【０００３】
本明細書に記載するねじ接続部は、油井やガス井におけるケーシングに使用される金属管の組み立てに特に有用である。ケーシングは、掘削孔の安定性を維持するため、および水砂による汚染を防止するため、および掘削、生産または改修作業中の坑井圧力を制御するために必要である。
【０００４】
これらのケーシング管は、ケーシングおよび管に関するＡＰＩ規格５ＣＴ仕様に従って鋼から形成される。例えば、鋼種は、Ｌ８０規格、Ｐ１１０規格またはＱ１２５規格のものである。
【０００５】
このような管状ねじ接続部は、例えば、軸方向の引張力、軸方向の圧縮力、内圧曲げ力、ねじり力などの、強度が変化したり方向が変化したりする様々な組み合わせの応力を受ける。このようにして、管状ねじ接続部は、これらの応力を支持し、破断に耐え、気密性の高いシールを提供するように設計される。
【０００６】
過酷な使用条件であっても機械的特性や気密性の観点から満足のいく結果が得られる石油やガスの運搬用管として、数多くのタイプの組立体が知られている。
【０００７】
油井やガス井のケーシングについて１つ目の課題は、内面および外面を損傷することなく、それらを坑井内に設置することである。ケーシングストリングは、一連のパイプである。第１のケーシング管群は、第１のケーシング管群に接合するように意図された第２のケーシング管群よりも大きい外径を有し、坑井の奥深くに設置される。ケーシングストリングは、坑井の深部にいくにつれて直径が徐々に小さくなるように構成される。ただし、その移行は滑らかである。
【０００８】
このように、より大きな直径と特定の内径を有する事前に設置されたケーシング群内に、特定の外径を有する新しいケーシング群を挿入する必要がある。既に坑井内に設置されているケーシングの内面を損傷しないようにするために、新しいケーシング群の外径を管理する必要がある。ＡＰＩ規格は、この項目に関する規定を提供する。無論、すべてのケーシング群は、隣接する２つのケーシング管の間の各接続部の位置において効率要件に準拠する必要もある。接続効率または接合効率は、パイプ本体の引張強さに対する接合部の引張強さの比率として画定される。この比率は、高外圧、高内圧、高圧縮力または高張力など、より過酷な坑井条件下で評価される。
【０００９】
既知の組立体は、両方の端部において雄ねじを有する管を備え、２つの対応する雌ねじを有するカップリングによって組み立てられる。このタイプの組立体は、雄ねじと雌ねじとの間に生成された正のねじ干渉によって、組立体の２つの構成要素が剛直になるという利点を提供する。
【００１０】
しかしながら、これらのカップリングの外径は、対応する管の外径よりも大きい。このような組立体をケーシング管と共に使用する場合、カップリングの外径に対応するために、直径を大きくした掘削孔を掘削する必要がある。
【００１１】
この欠点を克服するために、部分的に同一平面（semi-flush）、同一平面（flush）または一体型の組立体または接合体または接続部と呼ばれる、カップリングまたはスリーブを有さない組立体を使用するのが一般的である。これらの一体型の組立体の管状要素は、１つの雄ねじ端部と１つの雌ねじ端部とをそれぞれ備える。
【００１２】
一般的に、一体型の組立体は、接続部の機械的強度を確保するのに十分な接続部の厚さを提供するために、雌ねじ端部において拡大外径および雄ねじ端部において加締め外径をそれぞれ持つ管から構成される。拡大および加締めによって、接続部に高い効率を提供することができる。共に、接続部の位置における最大外径および最小内径を最小化するのに役立つ。したがって、接続部によって、一定レベルのドリフト操作性を維持して、既存のケーシングに損傷を与えることなく掘削孔内への設置を容易にし、且つ同一平面または部分的に同一平面の一体型の接続部の標準に耐えることができる。同一平面の接続部は、接続部の外径と管の公称外径との比率が約１％になるようになされており、部分的に同一平面の場合の比率が約２％〜３％になるようになされている。
【００１３】
国際公開第ＷＯ２０１４／０４４７７３号を参照すると、一体型の部分的に同一平面の管状ねじ接続部が記載されている。該接続部は、管状雄端部が設けられた第１の管状部材と、管状雌端部が設けられた第２の管状部材と、を備える。雌端部および雄端部の各々は、軸方向に２段のテーパねじと、中心から外れたシールと、を備える。この文献の目的は、臨界断面領域の間の特定の関係を提供することにより、接続部の引張効率を高めることである。
【００１４】
しかしながら、目標とする公称径の寸法、加締めおよび拡大プロセス、ならびに楕円公差に関する当該業界の公差は、場合によっては、接続部のねじ込み（make-up）中に雌端部の自由端部（末端部）のたわみにより、雌自由端部の外径が局所的に外側の鋭利な環状エッジを形成する可能性がある。同様に、接続部のねじ込み中に雄端部の自由端部（末端部）のたわみにより、雄自由端部の内径が局所的に内側の鋭利な環状エッジを形成する可能性がある。したがって、ケーシングへのチューブの設置中、またはケーシングへのケーシングの設置中に、それらの鋭利な環状エッジと追加のチューブまたはケーシングとの間で摩擦が生じる可能性がある。摩擦は、生産上の摩耗に先立って、ケーシングやチューブの早期故障を生じさせる可能性がある。また、摩擦によって、シール効率が低下する可能性がある。
【００１５】
したがって、チューブおよびケーシングの摩耗堅牢性を高めながら、接続部のシール効率および引張効率の両方を向上させるために、一体型の管状ねじ接続部を改善する必要ある。
【発明の概要】
【発明が解決しようとする課題】
【００１６】
本発明の目的の１つは、上述した欠点を克服することである。
【００１７】
詳細には、本発明の目的は、特に半径方向にコンパクトでありながら、軸方向および半径方向の負荷を吸収することができ、且つ半径方向の高負荷の下で起こり得る半径方向の変形を支持することができる管状ねじ接続部を提供することである。
【課題を解決するための手段】
【００１８】
本発明による管状ねじ接続部は、
・  第１の管状部材の本体から延在する管状雌端部であって、雌自由端部に近い外側雌ねじ、第１の管状部材の本体に近い内側雌ねじ、および外側雌ねじと内側雌ねじとの間の中間雌シール面、を含む管状雌端部と、
・  第２の管状部材の本体から延在する管状雄端部であって、第２の管状部材の本体に近い外側雄ねじ、雄自由端部に近い内側雄ねじ、および外側雄ねじと内側雄ねじとの間の中間雄シール面、を含む管状雄端部と、
を備え、
外側雄ねじおよび内側雄ねじは、ねじ係合によって外側雌ねじおよび内側雌ねじとそれぞれ噛み合うように構成され、雄シール面および雌シール面は、管状ねじ接続部がねじ込まれたときに、中間金属間シールを形成し、
管状雌端部は、中間金属間シールの位置において最小外径（ＪＯＢｍｉｎ）を有し、最小外径（ＪＯＢｍｉｎ）は、外側外径ＪＯＢｅおよび内側外径ＪＯＢｉよりも小さく、外側外径ＪＯＢｅは、外側雌ねじの少なくとも１つのねじ谷の上方に位置し、内側外径ＪＯＢｉは、内側雌ねじの少なくとも１つのねじ谷の上方に位置する。
【００１９】
好ましくは、最小外径ＪＯＢｍｉｎと外側外径ＪＯＢｅおよび内側外径ＪＯＢｉとの間のデルタ（ＪＯＢｅ−ＪＯＢｍｉｎ）または（ＪＯＢｉ−ＪＯＢｍｉｎ）の少なくとも一方は、中間金属間シールの直径方向の最大干渉値を下回るように設定されてもよい。例えば、上記デルタと中間金属間シールの直径方向の干渉との比率は、３０％〜８０％であり、好ましくは４０％〜７０％である。
【００２０】
例えば、最小外径ＪＯＢｍｉｎは、円筒面上で一定であってもよい。
【００２１】
管状雌端部は、最小外径ＪＯＢｍｉｎを有する円筒面の少なくとも一方の端部を接続する少なくとも１つの丸み部（radiused portion）を備えてもよい。例えば、丸み部は、円筒面の両方の端部を接続してもよい。丸み部は、例えば１００ｍｍ以上の曲率半径を有する凹状曲面である。
【００２２】
代替的にまたは上述した特徴と組み合わせて、管状雌端部は、最小外径ＪＯＢｍｉｎを有する円筒面の少なくとも一方の端部を接続する少なくとも１つのテーパ状の円錐台形部を備えてもよく、好ましくは最小外径ＪＯＢｍｉｎを有する円筒面の両方の端部を接続する２つのテーパ状の円錐台形部を備えてもよい。
【００２３】
有利には、管状雌端部は、外側外径ＪＯＢｅまたは内側外径ＪＯＢｉのいずれかに等しい一定の直径を有する少なくとも１つの追加の円筒形部分を備えてもよい。
【００２４】
好ましくは、外側外径ＪＯＢｅに等しい一定の直径を有する円筒外面は、雌自由端部と、最小外径ＪＯＢｍｉｎを有する管状雌端部の位置との間に位置する。また、好ましくは、内側外径ＪＯＢｉに等しい一定の直径を有する円筒外面は、例えば３°に等しい１°〜５°の拡大角度α１を形成するテーパ面を含む公称外径を有する第１の管状部材の本体に接続される。
【００２５】
内側外径（ＪＯＢｉ）と第１の管状部材の本体の公称外径との比率（ＪＯＢｉ／ＯＤ）は、１００．７％〜１０５％であってもよく、好ましくは１０１％〜１０３％であってもよい。
【００２６】
管状雌端部と管状雄端部とのねじ係合の後、且つ管状ねじ接続部のねじ込み終了時に、中間金属間シールの位置および外側雌ねじのねじ谷または内側雌ねじのねじ谷の少なくとも一方の上方の位置における外径は、公称外径の１０５％の閾値を下回ってもよく、好ましくは１０４％の閾値を下回ってもよく、さらに好ましくは１０２．５％の閾値を下回ってもよい。
【００２７】
好ましくは、外側外径および内側外径の位置は、同じであってもよい。
【００２８】
管状雌端部は、内側雌ねじの第１の係合ねじ谷においてボックス臨界断面を備え、ボックス臨界断面は、内側外径ＪＯＢｉに等しい一定の直径を有する円筒外面の下方または拡大角度α１を形成するテーパ面の下方に設けられてもよい。
【００２９】
管状雌端部は、内側雌シール面を有してもよく、それに対応するように、管状雄端部は、内側雄シール面を有してもよい。内側雄シール面は、内側雄ねじと雄自由端部との間に位置し、内側雄シール面および内側雌シール面は、管状ねじ接続部がねじ込まれたときに、内側金属間シールを形成する。
【００３０】
有利には、管状雌端部は、外側雌ねじと内側雌ねじとの間に位置する雌ショルダをさらに備えてもよい。管状雄端部は、外側雄ねじと内側雄ねじとの間に位置する雄ショルダをさらに備えてもよい。雄ショルダは、接続部がねじ込まれたときに、雌ショルダに当接するように構成される。
【００３１】
好ましくは、雄自由端部は、接続部がねじ込まれたときに、管状雌端部の内側ショルダから長手方向に離れていてもよい。この特徴によって、ねじ込み時にショルダの接触をさらに回避することができる。代替的に、ショルダ効率がさらに必要な場合、雄自由端部は、接続部がねじ込まれたときに、管状雌端部の内側ショルダに当接してもよい。
【００３２】
好ましくは、雌自由端部は、管状雄端部との軸方向の当接がない。本発明によれば、ねじ込み中に管状雄端部との軸方向の当接がないため、ねじ込み中に雌自由端部がわずかにたわむ可能性がある。雌自由端部は、接続部がねじ込まれたときに、管状雄端部のどの部分からも長手方向に離間している。
【図面の簡単な説明】
【００３３】
本発明およびその利点は、非限定的に以下に例示する特定の実施形態の詳細な説明および添付の図面から明らかになるであろう。
【図１】本発明の第１の実施形態による雌型管状部材の部分断面図である。
【図２】ねじ込みステップの終了時において接続された状態にある、図１の雌型管状部材のねじ接続部を対応する雄型管状部材と共に示す部分断面図である。
【図３】接続された状態にある、本発明の特定の実施形態によるねじ接続部の部分断面図である。
【図４】接続された状態にある、本発明の特定の実施形態によるねじ接続部の部分断面図である。
【図５】接続された状態にある、本発明の特定の実施形態によるねじ接続部の部分断面図である。
【発明を実施するための形態】
【００３４】
図を明確にするために、断面図は、管状部材の長手方向軸を横切る平面に沿った断面図であるという意味で部分断面図であり、管状部材の２つの断面のうちの一方のみを示している。
【００３５】
図２には、長手方向軸Ｘ−Ｘ’を有する管状ねじ接続部１０の一実施形態が示されている。管状ねじ接続部１０は、第１の管状部材２２と、第２の管状部材３２と、を備える。
【００３６】
第１の管状部材２２には、「雌型本体」とも呼ぶ本体２１と、「ボックス部材」とも呼ぶ管状雌端部２０と、が設けられる。ボックス部材２０は、雌型本体２１から延在する。ボックス部材２０は、第１の管状部材２２の末端部２５を画定する。末端部２５は、ボックス部材２０の雌自由端部である。雌型本体２１は、ＸＸ’軸に沿った本体２１の長さにわたって実質的に一定である公称外径を示す。好ましくは、雌型本体２１の内径ＩＤは、ＸＸ’軸に沿った本体２１の長さにわたって実質的に一定である。
【００３７】
第２の管状部材３２には、「雄型本体」とも呼ぶ本体３１と、「ピン部材」とも呼ぶ管状雄端部３０と、が設けられる。ピン部材３０は、雄型本体３１から延在する。ピン部材３０は、第２の管状部材３２の末端部３５を画定する。末端部３５は、ピン部材３０の雄自由端部である。雄型本体３１は、ＸＸ’軸に沿った本体３１の長さにわたって実質的に一定である公称外径を示す。好ましくは、雄型本体３１の内径は、ＸＸ’軸に沿った本体３１の長さにわたって実質的に一定である。
【００３８】
本体２１および３１は、同じ公称内径ＩＤおよび同じ公称外径ＯＤを有する。すなわち、同じパイプ幅を有する。好ましくは、本体２１および３１の公称外径ＯＤおよび公称内径ＩＤは、ＸＸ’軸に沿った本体２１および３１の長さにわたって実質的に一定である。
【００３９】
カップリングまたはスリーブを使用する組立体や接合体とは異なり、図示する管状ねじ接続部１０は、一体型の接続部である。好ましくは、ボックス部材は、ＸＸ’軸に沿った一方の端部における本体２１から延在し、第２の管状部材３２のピン部材と同一のピン部材は、ＸＸ’軸に沿った他方の端部における本体２１から延在する。好ましくは、ピン部材は、ＸＸ’軸に沿った一方の端部における本体３１から延在し、第１の管状部材２２のボックス部材と同一のボックス部材は、ＸＸ’軸に沿った他方の端部における本体３１から延在する。
【００４０】
本体２１および３１の公称外径よりも大きい直径を有する第１の管状部材２２の拡大領域は、ボックス部材２０を構成する。雄型本体３１の公称内径と比較して減少した内径を有する第２の管状部材３２の加締め領域は、ピン部材３０を構成する。
【００４１】
上記のような雌端部を製造するために、まず、例えば冷間成形技術を用いて、第１の管状要素を膨張させてボックス部材全体の外径を拡大し、雌型本体２１の円筒外面との間に、例えば３°に等しい３°〜４°の角度α１を形成する円錐状テーパ外面８０を提供する。
【００４２】
上記のような雄端部を製造するために、まず、例えば冷間成形技術を用いて、第２の管状要素を加締めてピン部材全体の内径を減少させ、雄型本体３１の円筒内面との間に、例えば３°に等しい３°〜４°の角度α３を形成する円錐状内面９０を提供する。
【００４３】
管状ねじ接続部１０は、ねじ付きの同一平面または部分的に同一平面の一体型の接続部であってもよい。
【００４４】
図１に詳細に示すように、自由端部２５は、好ましくはＸＸ’軸に垂直な方向で画定される環状面である。ボックス部材２０は、その内側輪郭において、外側雌ねじ２６と、内側雌ねじ２８と、中間雌シール面２７と、を備え、外側雌シール面２７は、外側雌ねじ２６と内側雌ねじ２８との間に位置する。
【００４５】
さらに、ボックス部材３０は、外側雌ねじ２６と内側雌ねじ２８との間に位置する雌ショルダ２４を連続して備えてもよい。雌ショルダ２４は、中間ショルダである。
【００４６】
図１、図２および図５に示す実施形態によれば、外側雌ねじ２６および内側雌ねじ２８は、半径方向にずらされており、雌ショルダ２４によって軸方向に離間している。好ましくは、雌ショルダ２４は、ＸＸ’軸に垂直な環状面として延在する。図５は、中間金属間シールが中間ショルダ２４と内側雌ねじとの間に位置するという点で、図１および図２に示す実施形態とは異なる。
【００４７】
図３および図４に示す実施形態によれば、ボックス部材３０は、中間ショルダ２４を備えない。したがって、外側雌ねじ２６および内側雌ねじ２８は、半径方向にずらされておらず、同じテーパ輪郭に沿って整列している。
【００４８】
さらに、図１〜図４によれば、ボックス部材３０は、内側雌シール面２９と、追加の内側ショルダ１８と、を備える。内側雌シール面２９は、内側雌ねじ２８と内側ショルダ１８との間に位置する。内側ショルダ１８は、内側ショルダ１８と雌型本体２１との間で画定される接合内面８１と接続される。
【００４９】
ボックス部材２０の内側輪郭は、拡大された後にその内面が機械加工される。
【００５０】
外側雌ねじ２６および内側雌ねじ２８は、例えば１／１８〜１／８のテーパ値を有するテーパ面に設けられる。より詳細には、雌ねじのテーパ軸と接続部の長手方向軸ＸＸ’との間のテーパ角度は約１０°であり、これにより、ボックス部材２０の内径は、雌型本体２１に向けて減少する。
【００５１】
外側雌ねじ２６および内側雌ねじ２８は、以下の特徴を有してもよい：
・  同じピッチ、
・  負の角度値を持つ同じロードフランク角度、
・  同じ台形状の歯部の輪郭、および
・  同じ長手方向長さ。
【００５２】
外側雌ねじ２６および内側雌ねじ２８は、ねじ係合によって外側雄ねじ３６および内側雄ねじ３８にそれぞれ噛み合うように構成されており、同じテーパ角度に沿ってそれぞれテーパされている。外側雄ねじ３６および内側雄ねじ３８は、外側雌ねじ２６および内側雌ねじ２８と同じピッチをそれぞれ有する。
【００５３】
各ねじ部分のねじ山の形態については、詳細に説明しない。ねじ山の各歯部は、従来どおりにスタブフランクと、ロードフランクと、頂面と、谷面と、を含んでもよい。両方のねじ部分の歯部は、スタブフランクが負の角度を有し、スタブフランクが正の角度を有するように、またはスタブフランクが正の角度を有し、スタブフランクが負の角度を有するように傾斜していてもよい。代替的に、両方のねじ部分の歯部は、台形状の歯部であってもよい。
【００５４】
図１、図２および図５に示す本発明の実施形態によれば、本発明によるねじは、正確に同じピッチおよびリードを有するロードフランクおよびスタブフランクを示す。
【００５５】
図３および図４に示す本発明の実施形態によれば、両方のねじ部分のねじ山は、くさび型である。くさび型のねじ山は、特定のねじ山の形状に関係なく、自由端部から離れるにつれて幅が広がるねじ山によって特徴付けられる。
【００５６】
好ましくは、本発明によるねじは、直径方向の干渉を示す。
【００５７】
外側雌ねじ２６および内側雌ねじ２８は、ピン部材３０の対応する特徴を有するねじ係合によって噛み合うように構成される。ねじ係合によって噛み合うとは、雌ねじの少なくとも２ターン、好ましくは少なくとも３ターンが、対応する雄ねじの２〜３ターンの間で画定されるらせん状の溝内で噛み合うことを包含する。ＸＸ’軸に沿って長手方向の断面で見ると、雄ねじの各歯部は、雌ねじの２つの隣接する歯部の間に位置している。これは、ねじ山の少なくとも３ターンについて観察することができる。ねじ込み終了時には、ねじが噛み合う。
【００５８】
したがって、図２に詳細に示すように、ピン部材３０は、その外側輪郭上で、雄自由端部３５から雄型本体３１まで、内側雄シール面３９と、内側雄ねじ３８と、中間雄ショルダ３４と、中間雄シール面３７と、外側雄ねじ３６と、接合面９１と、を連続して備える。ピン部材３０の外側輪郭は、加締められた後に外面が機械加工される。
【００５９】
図１、図２および図５に示す本発明の実施形態によれば、外側雄ねじ３６および内側雄ねじ３８は、半径方向にずらされており、雄ショルダ３４によって軸方向に離間している。好ましくは、雄ショルダ３４は、ＸＸ’軸に垂直な環状面として延在する。
【００６０】
本発明の第１の実施形態によれば、外側雌ねじ２６および内側雌ねじ２８の各々は、雌自由端部２５の側にランイン部２６ａおよび２８ａと、その反対側にランアウト部２６ｂおよび２８ｂと、を備える。ランイン部およびランアウト部は、それぞれのランイン部とランアウト部との間のねじ部で観察されるねじ山の全高を有さないという意味で、不完全なねじである。
【００６１】
外側雄ねじ３６および内側雄ねじ３８の各々は、雄自由端部３５の側にランイン部３６ａおよび３８ａと、その反対側にランアウト部３６ｂおよび３８ｂと、を備える。ボックス部材２０のランイン部２６ａおよび２８ａの各々は、ピン部材３０のランアウト部３６ｂおよび３８とそれぞれ係合し、ピン部材３０のランイン部３６ａおよび３８ａの各々は、ボックス部材２０のランアウト部２６ｂおよび２８ｂとそれぞれ係合する。
【００６２】
図１、図２および図５を参照すると、雌ねじおよび雄ねじは、上記ランイン部およびランアウト部を備える。図示しない代替例によれば、接続部は、全高を有するねじ山のみを含んでもよい。
【００６３】
接続部１０がねじ込まれた状態において、雄ねじ３６または３８の対応するねじが係合している、外側雌ねじおよび内側雌ねじのランイン部２６ａまたは２８ａから開始する連続するねじ谷を考慮すると、雌ねじの第１の係合ねじ谷は、第１のねじ谷の位置である。係合しているねじとは、雌ねじのロードフランクの少なくとも一部が、ねじ込まれた状態で、雄ねじの対応するロードフランクに接触していることを意味する。ランイン部２６ａおよび２８ａから開始する連続するねじ谷を考慮すると、接触する雌ねじのロードフランクの第１の位置は、外側雌ねじおよび内側雌ねじの第１の係合ねじ谷に隣接する。
【００６４】
接続部１０がねじ込まれた状態において、雌ねじ２６または２８の対応するねじが係合している、外側雄ねじおよび内側雄ねじのランイン部３６ａまたは３８ａから開始する連続するねじ谷を考慮すると、雄ねじの第１の係合ねじ谷は、第１のねじ谷の位置である。係合しているねじとは、雄ねじのロードフランクの少なくとも一部が、ねじ込まれた状態で、雌ねじの対応するロードフランクに接触していることを意味する。ランイン部３６ａおよび３８ａから開始する連続するねじ谷を考慮すると、接触する雄ねじのロードフランクの第１の位置は、外側雄ねじおよび内側雄ねじの第１の係合ねじ谷に隣接する。
【００６５】
図１、図２および図５に示す本発明の実施形態による接続部のねじ込み終了時には、中間ショルダ２４および３４が互いに当接し、ねじ係合によってねじが噛み合う。
【００６６】
図３に示す本発明の一実施形態によれば、接続部のねじ込み終了時には、内側雌ショルダ１８は、対応するピン側自由端部３５に当接し、雌ねじは、スタブフランクおよびロードフランクの少なくとも一方と互いに当接するように、対応する雄ねじと協働する。
【００６７】
図４に示す本発明の一実施形態による接続部のねじ込み終了時には、内側ショルダ１８がピン側自由端部３５に当接していない場合、雌ねじは、スタブフランクおよびロードフランクの両方が互いに当接するように、対応する雄ねじと協働する。
【００６８】
本発明によれば、外側雌ねじの第１の係合ねじ谷は、ランイン部２６ａ内にあり、内側雌ねじの第１の係合ねじ谷は、ランイン部２８ａ内にある。また、外側雄ねじの第１の係合ねじ谷は、ランイン部３６ａ内にあり、内側雄ねじの第１の係合ねじ谷は、ランイン部３８ａ内にある。
【００６９】
ＢＣＣＳ２は、ＸＸ’軸に対して横方向に画定される、内側雌ねじの第１の係合ねじ谷におけるボックス部材の断面部である。図１〜図５に示すように、ＢＣＣＳ２は、ランイン部２８ａ内に位置する。ＢＣＣＳ２は、雌ショルダ２４よりも内側雌シール面２９に近い。ボックス臨界断面は、すべてのねじに伝達される最大引張力を受け、接続の効率を画定するボックス部材２０の断面領域である。
【００７０】
図示するように、中間雌シール面２７は円錐形であり、中間雄シール面３７も円錐形である。円錐面２７および３７のテーパは等しくてもよく、例えば１／２であってもよい。中間雌シール面２７および中間雄シール面３７は、接続部１０のねじ込み位置に金属間シールを形成する。
【００７１】
内側雌シール面２９は、凸状に膨らんだ面であり、例えば１０ｍｍ〜１００ｍｍ、例えば６０ｍｍに等しいトーラス半径によって画定されるトーラス面である。内側雄シール面３９は、円錐状である。内側雌シール面２９および内側雄シール面３９は、接続部１０のねじ込み位置に金属間シールを形成する。代替的に、外側および内側金属間シールは、実質的に同じテーパを有する円錐対円錐型であり得る。代替的に、中間雌シール面２７および中間雄シール面３７は、トーレ（tore）対円錐型の金属間シールを画定してもよい。
【００７２】
金属間シールを実現するには、雌シール面と雄シール面との間に直径方向の干渉が必要である。直径方向の干渉値は、雄シール面の外径から雌シール面の内径を引いた最大差である。ここで、直径は、接続部がねじ込まれたときにＸＸ’軸に沿って同じ位置にあると考えられるが、直径は、ねじ込み前のものである。直径方向の干渉は、ＦＥＡ解析と、ねじ込み終了時のボックス部材内へのピン部材の予測可能な最終位置とに基づいて、ねじ込み前に画定される。
【００７３】
例えば、中間金属間シールの直径方向の干渉は、０．２ｍｍ〜１．２ｍｍであり、好ましくは０．４ｍｍ〜０．８ｍｍである。例えば、内側金属間シールの直径方向の干渉は、０．３ｍｍ〜１．７ｍｍであり、好ましくは０．７ｍｍ〜１．５ｍｍである。例えば、中間金属間シールの直径方向の干渉は、内側金属間シールの直径方向の干渉を下回るように設定される。
【００７４】
中間金属間シールによる接続部の外側のボックス側自由端部２５のたわみ、および内側金属間シールによる接続部の内側のピン側自由端部３５のたわみは、本発明の特定の特徴によって制限される。
【００７５】
本明細書において、特に明記されない限り、すべての外径および内径の寸法は、機械加工後の状態で、ねじ込み前に画定される。製造公差によれば、すべての寸法は、目標値と比較して±０．２ｍｍの公差で指定される。
【００７６】
有利には、ボックス部材２０の外面は、部分的に機械加工される。中間雌シール面２７の上方で、ボックス部材は、最小外径ＪＯＢｍｉｎを有する円筒面６０を局所的に設けるために機械加工される。円筒面６０は、金属部品の機械加工の公差内で円筒状である。
【００７７】
機械加工された円筒面６０は、中間雌シール面２７の両側で延在する。本発明の好ましい実施形態によれば、機械加工された円筒面６０は、外側雌ねじ２６または内側雌ねじ２８の上方では延在しない。例えば、外側雌ねじ２６のランイン部２６ａが開始する位置で機械加工された円筒部６０が終了し、内側雌ねじ２８のランアウト部２８ｂが開始する位置で機械加工された円筒部６０が終了する。
【００７８】
したがって、機械加工された円筒部６０は、外側雌ねじ２６と内側ねじ２８との間でＸ−Ｘ’軸に沿って、長手方向の長さ全体にわたって延在する。第２の円筒面６０は、ＸＸ’軸に沿って、１０ｍｍ〜１００ｍｍの長さを有する。
【００７９】
機械加工された円筒面６０は、外側円筒形部分５８と内側円筒形部分７８とを結合するように、両側に隣接する丸み部または円錐台形部６１および６２を有する。外側円筒形部分５８および内側円筒形部分７８の各々は、外側外径ＪＯＢｅおよび内側外径ＪＯＢｉにそれぞれ等しい一定の直径を有する。円錐台形部６１および６２は、３°〜４５°、好ましくは５°〜１５°のテーパ角度を有するようにテーパされていてもよい。外側円筒形部分５８および内側円筒形部分７８は、ＸＸ’軸に沿って、少なくとも２５ｍｍの長さを有する。
【００８０】
例えば、機械加工された円筒部６０の隣接部分６１および６２は、それぞれ、外側雌ねじ２６の少なくともランイン部２６ａの上方、および内側雌ねじ２８のランアウト部２８ｂの上方で延在する。隣接部分６１および６２は、外側雌ねじ２６および内側雌ねじ２８のそれぞれのねじ山の全高の上方で延在してもよい。
【００８１】
本発明によれば、外側外径ＪＯＢｅおよび内側外径ＪＯＢｉは、外側雌ねじ２６および内側雌ねじ２８の少なくとも１つのねじ谷の上方の位置で画定される。好ましくは、外側円筒形部分５８および内側円筒形部分７８は、外側雌ねじ２６および内側雌ねじ２８のそれぞれのねじ山の全高の上方で延在する。
【００８２】
本発明によれば、外側外径ＪＯＢｅおよび内側外径ＪＯＢｉの両方は、最小外径ＪＯＢｍｉｎよりも厳密に大きい。好ましくは、外側外径ＪＯＢｅおよび内側外径ＪＯＢｉは、互いに等しい。
【００８３】
隣接部分６１および６２は、凹状トーラス面６３および６４を介して、最小外径ＪＯＢｍｉｎを有する機械加工された円筒面６０を接続する。また、隣接部分６１および６２は、凸状トーラス面６５および６６を介して、外側円筒形部分５８および内側円筒形部分７８を接続する。
【００８４】
図１および図２を参照すると、雌側部材は、テーパ状の円錐台形部６１および６２を備える。例えば、テーパ状の円錐台形部６１および６２は、同じテーパ角度の値を示す。
【００８５】
図１および図２の代替例では、テーパ状の円錐台形部６１および６２の代わりに、隣接部分６１および６２が、凹状丸み部であってもよい。この丸み部は、凹状トーラス面６３および６４のそれぞれの曲率半径よりも大きい曲率半径を有するように湾曲している。例えば、凹状丸み部６１および６２は、１００ｍｍ以上の曲率半径を有してもよい。
【００８６】
図３〜図５は、本発明による異なる実施形態を示す。ここで、隣接部分６１および６２は、凹状丸み部である。この丸み部は、隣接部分６１および６２が、特定の値の曲率半径を示すように湾曲している。例えば、外側円筒形部分５８と機械加工された円筒面６０との間に位置する隣接部分６１の曲率半径は、機械加工された円筒面６０と内側円筒形部分７８との間に位置する隣接部分６１の曲率半径よりも大きい。
【００８７】
内側円筒形部分７８は、円錐状テーパ外面８０を接続して角度α１を形成する。
【００８８】
図１〜図４を参照すると、円錐状テーパ外面８０は、内側雌ねじ２８と内側雌シール面２９との間に位置する溝５０の上方で拡大している。図１および図２を参照すると、円錐状テーパ外面８０は、内側雌シール面２９にわたってさらに拡大しており、図３および図４を参照すると、円錐状テーパ外面８０は、雌側外面８４が円筒状であり且つ内側雌シール面２９の上方に位置するように、本体２１の雌側外面８４に接続される。
【００８９】
以下に示すすべてのさらなる比率またはデルタは、公差を考慮することなく、外径または内径の各々の目的値に基づいている。
【００９０】
例えば、最小外径（ＪＯＢｍｉｎ）と、外側外径（ＪＯＢｅ）および内側外径（ＪＯＢｉ）との間のデルタ（ＪＯＢｅ−ＪＯＢｍｉｎ）または（ＪＯＢｉ−ＪＯＢｍｉｎ）は、中間金属間シールの直径方向の最大干渉値を下回る。例えば、上記デルタと直径方向の干渉との比率は、３０％〜８０％であり、好ましくは４０％〜７０％である。
【００９１】
例えば、
・  最小外径ＪＯＢと公称外径ＯＤとの比率（ＪＯＢｍｉｎ／ＯＤ）は、１００．１％〜１０４％であり、好ましくは１００．８％〜１０３％であり、
・  内側外径ＪＯＢｉと第１の管状部材の本体の公称外径との比率ＪＯＢｉ／ＯＤは、１００．７％〜１０５％であり、好ましくは１０１％〜１０３％であり、
・  外側外径ＪＯＢｅと第１の管状部材の本体の公称外径との比率ＪＯＢｅ／ＯＤは、１００．７％〜１０５％であり、好ましくは１０１％〜１０３％であり、
・  内側外径ＪＯＢｉと最小外径ＪＯＢｍｉｎとの比率ＪＯＢｉ／ＪＯＢｍｉｎは、１００．０１％〜１０４％であり、好ましくは１００．０５％〜１０１％であり、
・  外側外径ＪＯＢｅと最小外径ＪＯＢｍｉｎとの比率ＪＯＢｅ／ＪＯＢｍｉｎは、１００．０１％〜１０４％であり、好ましくは１００．０５％〜１０１％である。
【００９２】
本発明のすべての実施形態について、ねじ込み終了時には、ねじ干渉および／または金属間シール干渉によって、ボックス部材２０全体に沿った外径寸法が変形する。図２〜図５は、ねじ込み終了時におけるねじ接続部を示す。ただし、これらの実施形態の説明をより明らかにするために、ＪＯＢｅ、ＪＯＢｉおよびＪＯＢｍｉｎの位置を図内で記載しているが、機械加工後およびねじ込み前の特定の寸法における以前の位置のみを示している。
【００９３】
ねじ込み終了時に、例えば機械加工された円筒面６０はもはや円筒状ではない。これは、外面すべてについて同じである。ただし、本発明のおかげで、ねじ込み後に、ボックス部材２０のすべての位置において、接続部１０の外径は、雌型本体２１の公称外径の１０５％の閾値を下回り、好ましくは１０３％の閾値を下回り、より好ましくは１０１％の閾値を下回る。
【００９４】
円筒外面５８、６０および７８を有するという特定の特徴のおかげで、設置中に、既に所定の位置にあるボックスの先端およびケーシングと半径方向に直接接触することがない。実際、第２の臨界断面ＢＣＣＳ２におけるボックス部材２０の厚さによって、ボックス部材が優れたケーシングの摩耗堅牢性を有することができ、同時に、接続部が良好な効率を有することができる。
【００９５】
ボックス臨界断面における追加の厚さのおかげで、接続部は、軸方向の引張力を受けたときに、優れたケーシングの摩耗堅牢性を有することができ、同時に、優れた効率および良好な性能を有することができる。
【００９６】
また、ボックス部材の自由端部が半径方向に直接接触しないため、接続部の寿命も向上する。
【図１】
2021525342.tif 000003
【図２】
2021525342.tif 000004
【図３】
2021525342.tif 000005
【図４】
2021525342.tif 000006
【図５】
2021525342.tif 000007
【国際調査報告】
2021525342.tif 000008
2021525342.tif 000009